(57)【特許請求の範囲】
【請求項１】
凹所でなるディスクセット部を備えるトレイ本体の上記ディスクセット部の周囲複数箇所に形成された貫通孔のそれぞれに、爪片状のディスクホルダーと一体成形された回転軸が回転可能に貫挿されていて、それらのディスクホルダーが、上記ディスクセット部にセットされたディスクの脱落を阻止する閉位置とディスクセット部の外側へ後退してそのディスクセット部へのディスクの出入れを可能にする開位置との間で上記回転軸を揺動中心として揺動して出退することができるようになっているディスクトレイにおいて、
上記各貫通孔に貫挿されているそれぞれの回転軸に揺動部材が連結されていると共に、任意の１つのディスクホルダーの開閉動作を残りの他のディスクホルダーに伝達してそれらの他のディスクホルダーを開閉動作させる可動連結部材を備え、
この可動連結部材はその押引き動作を通じて上記各揺動部材を正逆揺動させることにより上記各回転軸を介して上記各ディスクホルダーを同時に閉位置と開位置との間で出退させる機能を備えていることを特徴とするディスクトレイ。
【請求項２】
上記揺動部材が歯車であり、それぞれの揺動部材を形成している上記歯車に噛み合うラック部が上記可動連結部材に設けられている請求項１に記載したディスクトレイ。
【請求項３】
ディスクセット部が表側に形成された上記トレイ本体の表側に上記ディスクホルダーが配備され、上記トレイ本体の裏側に上記揺動部材と上記可動連結部材とが配備されている請求項１又は請求項２に記載したディスクトレイ。
ここから
【請求項４】
上記ディスクセット部の３箇所にディスクホルダーが取り付けられており、上記可動連結部材が、両端部にラック部を備えた前後に長い第１杆体と左右に長い第２杆体とを有し、それらの杆体の両端部のラック部が、２つ１組の上記歯車のそれぞれに各別に噛み合わされている請求項２又は請求項３に記載したディスクトレイ。
【請求項５】
任意の１つの上記杆体に、ドライブに取り付けられた当該ディスクトレイを引込み押出し動作させるためにドライブ側に設置されているトレイ駆動歯車に噛合可能なラックが取り付けられ、かつ、当該ディスクトレイが上記ドライブに完全に引き込まれることによって上記ラックがトレイ駆動歯車に連動するようになっていると共に、そのトレイ駆動歯車に連動したラックが、トレイ駆動歯車の回転を通じて、上記ディスクホルダーを閉位置と開位置との間で出退させる方向に上記杆体を移動させるようになっている請求項４に記載したディスクトレイ。
【請求項６】
当該ディスクトレイが上記ドライブに完全に引き込まれた後に行われるディスクチャッキング動作と、上記ラックが上記ディスクホルダーを閉位置から開位置まで後退させる方向に上記杆体を移動させる動作とが併行され、かつ、当該ディスクトレイが上記ドライブから押し出される前に行われるディスクアンチャッキング動作と、上記ラックが上記ディスクホルダーを開位置から閉位置まで突出させる方向に上記杆体を移動させる動作とが併行されるようになている請求項５に記載したディスクトレイ。
【請求項７】
上記ラックが、上記トレイ駆動歯車に連動可能な動作位置と上記トレイ駆動歯車に連動しない退避位置との間で移動可能である請求項５又は請求項６に記載したディスクトレイ。
【発明の詳細な説明】
【０００１】
【発明の属する技術分野】
本発明は、磁気ディスクや光ディスクなどの記録媒体としてのディスクをドライブに出し入れする際に用いられるディスクトレイに関する。
【０００２】
【従来の技術】
特開平８−２３５７１３号公報、特開平１０−２７４０７号公報、特開平１１−３９７６２号公報などにディスクトレイについての記載があり、それらによると、ドライブに取り付けられたディスクトレイの複数箇所に、そのディスクトレイのディスクセット部にセットしたディスクがディスクセット部から脱落しないようにすることに役立つディスクホルダーを設けることが記載されている。このようなディスクホルダーでディスクの脱落を防ぐ必要があるのは、主に、ディスクトレイを起立姿勢にして使用する場合、言い換えると、ディスクトレイが縦置き姿勢のドライブに装備されている場合である。
【０００３】
このように、縦置き姿勢のドライブに装備されたディスクトレイでは、ディスクホルダーによってディスクをディスクセット部に脱落しないように保持させておく必要があるけれども、横置き姿勢のドライブに装備されたディスクトレイでは、ディスクホルダーによってディスクを保持させる必要性は必ずしもない。
【０００４】
ところで、従来のディスクトレイには、ディスクセット部の周囲複数箇所に爪片状のディスクホルダーが揺動可能に設けられていた。そして、ディスクセット部にディスクをセットしてから、ディスクセット部の周囲複数箇所に設けられているディスクホルダーを一つ一つ個別に手指で回してディスクを保持させていた。また、ディスクセット部に収容されたディスクを取り出すときには、一つ一つのディスクホルダーを個別に手指で回してディスクを取り外すことのできる位置まで動かしていた。
【０００５】
【発明が解決しようとする課題】
しかしながら、従来のように複数のディスクホルダーを一つ一つ個別に手指で操作することは面倒で煩わしいという問題があった。
【０００６】
本発明は以上の状況に鑑みてなされたもので、ディスクの着脱時に１箇所のディスクホルダーを操作するだけで他の箇所のディスクホルダーを同時に同じように動作させることのできるディスクトレイを提供することを目的とする。
【０００７】
さらに、本発明は、片手だけを使ってディスクをディスクセット部にセットしたりディスクセット部から取り外したりすることのできるディスクトレイを提供することを目的とする。
【０００８】
さらに、本発明は、ディスクをディスクホルダーで保持させておく必要のない横置き姿勢でドライブを用いる場合には、ディスクホルダーをディスクの出入れのじゃまにならない位置まで後退させておくことのできるディスクトレイを提供することを目的とする。
【０００９】
さらに、本発明は、ディスクトレイがドライブに完全に引き込まれた後に行われるディスクチャッキング動作やディスクトレイがドライブから押し出される前に行われるディスクアンチャッキング動作と併行してディスクホルダーを動作させることのできるディスクトレイを提供することを目的とする。
【００１０】
【課題を解決するための手段】
本発明に係るディスクトレイは、凹所でなるディスクセット部を備えるトレイ本体の上記ディスクセット部の周囲複数箇所に形成された貫通孔のそれぞれに、爪片状のディスクホルダーと一体成形された回転軸が回転可能に貫挿されていて、それらのディスクホルダーが、上記ディスクセット部にセットされたディスクの脱落を阻止する閉位置とディスクセット部の外側へ後退してそのディスクセット部へのディスクの出入れを可能にする開位置との間で上記回転軸を揺動中心として揺動して出退することができるようになっているディスクトレイにおいて、上記各貫通孔に貫挿されているそれぞれの回転軸に揺動部材が連結されていると共に、任意の１つのディスクホルダーの開閉動作を残りの他のディスクホルダーに伝達してそれらの他のディスクホルダーを開閉動作させる可動連結部材を備え、この可動連結部材はその押引き動作を通じて上記各揺動部材を正逆揺動させることにより上記各回転軸を介して上記各ディスクホルダーを同時に閉位置と開位置との間で出退させる機能を備えている。
【００１１】
本発明では、上記揺動部材が歯車であり、それぞれの揺動部材を形成している上記歯車に噛み合うラック部が上記可動連結部材に設けられている、という構成を採用することが可能である。
【００１２】
この発明において、ディスクセット部にディスクをセットするときには、ディスクをセットした後で、任意の１つのディスクホルダーを開位置から閉位置に突出させると、残りの他のディスクホルダーも開位置から閉位置に突出してディスクの脱落を阻止する。また、ディスクセット部からディスクを取り出すときには、任意の１つのディスクホルダーを閉位置から開位置に後退させると、残りの他のディスクホルダーも閉位置から開位置に後退してディスクを取り出すことができるようになる。
【００１３】
本発明において、可動連結部材としては、上掲の揺動部材としての歯車とラック部との組合せのほか、揺動部材としての中折れリンクを利用したもの、などの種々の機構を適宜採用することができる。
【００１４】
また、本発明では、ディスクセット部が表側に形成された上記トレイ本体の表側に上記ディスクホルダーが配備され、上記トレイ本体の裏側に上記揺動部材と上記可動連結部材とが配備されていることが望ましい。
【００１５】
さらに、本発明では、上記ディスクセット部の３箇所にディスクホルダーが取り付けられており、上記可動連結部材が、両端部にラック部を備えた前後に長い第１杆体と左右に長い第２杆体とを有し、それらの杆体の両端部のラック部が、２つ１組の上記歯車のそれぞれに各別に噛み合わされている、という構成を採用することも可能である。
【００１６】
本発明では、任意の１つの上記杆体に、ドライブに取り付けられた当該ディスクトレイを引込み押出し動作させるためにドライブ側に設置されているトレイ駆動歯車に噛合可能なラックが取り付けられ、かつ、当該ディスクトレイが上記ドライブに完全に引き込まれることによって上記ラックがトレイ駆動歯車に連動するようになっていると共に、そのトレイ駆動歯車に連動したラックが、トレイ駆動歯車の回転を通じて、上記ディスクホルダーを閉位置と開位置との間で出退させる方向に上記杆体を移動させるようになっていることが望ましい。また、当該ディスクトレイが上記ドライブに完全に引き込まれた後に行われるディスクチャッキング動作と、上記ラックが上記ディスクホルダーを閉位置から開位置まで後退させる方向に上記杆体を移動させる動作とが併行され、かつ、当該ディスクトレイが上記ドライブから押し出される前に行われるディスクアンチャッキング動作と、上記ラックが上記ディスクホルダーを開位置から閉位置まで突出させる方向に上記杆体を移動させる動作とが併行されるようになっていることが望ましい。
【００１７】
これによると、ドライブに対してディスクトレイが引き込まれたり押し出されたりするときには、ディスクがディスクホルダーによって脱落しないようにディスクセット部に保持される一方、ディスクに記録や再生を行うディスク回転中には、ディスクホルダーが開位置に後退してディスクに当たらないようになって、ディスク回転中に不慮にディスクがディスクホルダーに当たって傷付いたりするトラブルが未然に防止される。
【００１８】
ところで、ディスクセット部にセットしたディスクの脱落をディスクホルダーによって防止しておく必要があるのは、主に縦置き姿勢のドライブに装備されているディスクトレイであるけれども、ドライブが横置き姿勢で用いられることもあり、そのような場合には、ディスクホルダーを開位置に後退させたままにしておくことができるようになっていることが望ましい。
【００１９】
本発明のディスクトレイをこの要求に対処させるためには、上記ラックが、上記トレイ駆動歯車に連動可能な動作位置と上記トレイ駆動歯車に連動しない退避位置との間で移動可能であることが望ましい。
【００２０】
【発明の実施の形態】
図１は本発明に係るディスクトレイの第１実施形態の正面図、図２は同背面図、図３は他の状態での同正面図、図４は他の状態での同背面図、図５は要部の拡大背面図である。
【００２１】
図例のディスクトレイＴは図示していないドライブに取り付けられていて、図示していない操作ボタンを操作することによってドライブに引き込まれたりドライブから押し出されたりする。このディスクトレイＴは、正面視矩形で平板状のトレイ本体１を有しており、このトレイ本体１の表側中央部に円形の凹所でなるディスクセット部１２が備わり、そのディスクセット部１２の周囲複数箇所（図例では３箇所）に爪片状のディスクホルダー２…が取り付けられている。具体的には、各ディスクホルダー２と一体成形された回転軸２１が、トレイ本体１に具備された貫通孔（図に現れない）にがたつかない状態で回転可能に貫挿されている。そのため、それぞれのディスクホルダー２は、回転軸２１を揺動中心として、図１に示したようにディスクセット部１２にセットされたディスク１００の脱落を阻止する閉位置と、図３に示したようにディスクセット部１２の外側へ後退した開位置との間で揺動して出退することができるようになっている。
【００２２】
図２又は図４のように、トレイ本体１の裏側には、そのトレイ本体１に重なり合う状態で可動連結部材３が配備されている。この可動連結部材３は、トレイ本体１の左右方向片側に配備された前後に長い第１杆体３１と、トレイ本体１の後端側に配備された左右に長い第２杆体３２とを備えており、それぞれの杆体３１，３２の両端部にラック部３３，３４，３５，３６が具備されていると共に、第１杆体３１は前後移動が可能にトレイ本体１に保持され、第２杆体３２は左右移動可能にトレイ本体１に保持されている。そして、ラック部３３の相手方となる歯車２３がトレイ本体１の前側に配備されたディスクホルダー２ａの回転軸２１に固着され（図５参照）、２つのラック部３４，３５の相手方となる歯車２４がトレイ本体１の後側に配備された１つのディスクホルダー２の回転軸２１に固着され、ラック部３６の相手方となる歯車２５がトレイ本体１の後側に配備された他の１つのディスクホルダー２の回転軸２１に固着されている。
【００２３】
なお、４はトレイ本体１の裏側に設けられた前後に長いラック、５はガイド溝であり、これらについては後述する。
【００２４】
図１〜図４で説明したディスクトレイＴにおいて、３つのディスクホルダー２…のうちの１つ、たとえばトレイ本体１の前側に配備されたディスクホルダー２（２ａ）を、手指を使って図１の閉位置から時計方向に揺動させることにより図２の開位置まで後退させると、そのディスクホルダー２ａの揺動運動が回転軸２１と歯車２３とを経てラック部３３に伝達され、第１杆体３１の直線運動に変換される。そのため、図２と図４を併せ見ることによって判るように、第１杆体３１が図４矢印ｄのように後方移動し、その後方移動がラック部３４を経て歯車２４の回転運動に変換され、その歯車２４の回転運動がラック部３５に伝達されて第２杆体３２の矢印ｒで示した右向き移動（直線運動）に変換される。さらに、第２杆体３２の右向き移動がラック部３６を経て歯車２５の回転運動に変換される。したがって、歯車２４や歯車２５に連結されている２つの各ディスクホルダー２，２も、上記したディスクホルダー２ａと同調して図１の閉位置から図２の開位置まで時計方向に揺動して後退する。この状態では、ディスクセット部１２からディスク１００を取り出すことができる。他のディスクホルダー２…の１つを手指を使って図１の閉位置から時計方向に揺動させることにより図２の開位置まで後退させた場合にも同様に、他の２つのディスクホルダー２…が同調して閉位置から開位置まで揺動する。これとは逆に３つのディスクホルダー２…のうちの任意の１つを、手指を使って図２の開位置から反時計方向に揺動させることにより図１の閉位置まで突出させたときには、他の２つのディスクホルダー２…がそれと同調して図２の開位置から図１の閉位置まで突出する。この状態では、ディスク１００がディスクセット部１２に脱落しないように保持される。
【００２５】
上記したようなディスク１００を出し入れする際の任意の１つのディスクホルダー２の揺動操作は、ディスク１００を持った片手の指で容易に行うことができるので、片手だけを使ってディスク１００をディスクセット部１２に容易に出し入れすることが可能である。
【００２６】
以上の説明では、可動連結部材３を形成している第１及び第２の各杆体３１，３２の押引き動作を通じて各歯車２３，２４，２５が正逆揺動されるようになっている。そのため、これらの歯車２３，２４，２５は、可動連結部材３の押引き動作を通じて動作する揺動部材としての役割を担っている。
【００２７】
次に、第２実施形態を説明する。図６は第２実施形態の背面図、図７〜図９は動作説明図、図１０はガイド溝５の形状を示した説明図である。
【００２８】
この第２実施形態は、ディスクトレイＴがドライブに完全に引き込まれた後に行われるディスクチャッキング動作と併行して、それまで閉位置に位置していた複数のディスクホルダー２…が開位置まで自動で後退し、また、ディスクトレイＴがドライブから押し出される前に行われるディスクアンチャッキング動作と併行して、それまで開位置に位置していた複数のディスクホルダー２…が閉位置まで自動で突出するようにしたものである。
【００２９】
ところで、図６に示したように、トレイ本体１の裏側には前後に長いラック４とガイド溝５とが備わっている。
【００３０】
このうち、ラック４は、ディスクトレイＴが取り付けられたドライブ側に設置されているモータ駆動方式のトレイ駆動歯車６（図７〜図９）と噛合可能である。すなわち、ディスクトレイＴがドライブから押し出されているときに、図示していない操作ボタンを操作することによってトレイ引込み指令が発せられると、図示していないモータによって図７〜図９に示した中間歯車６１が正転し、その中間歯車６１の回転がそれに常時噛み合っている上記トレイ駆動歯車６に伝わる。そのため、トレイ駆動歯車６の回転が、それに噛み合っている上記ラック４に伝わってディスクトレイＴがドライブに引き込まれていく。また、ディスクトレイＴが、ドライブに引き込まれていて、しかも、トレイ駆動歯車６がラック４に噛み合っているときに、図示していない操作ボタンを操作することによってトレイ押出し指令が発せられると、上記モータによって図７〜図９に示した中間歯車６１が逆転し、その中間歯車６１の回転がトレイ駆動歯車６をラック４に伝わり、ディスクトレイＴがドライブから押し出される。
【００３１】
一方、ガイド溝５は、トレイ駆動歯車６とラック４との噛み合いによってドライブに引き込まれたディスクトレイＴを、さらに完全にドライブに引き込んでラック４をトレイ駆動歯車６から図７〜図９のように離間させる動作（最終引込み動作）や、完全に引き込まれたディスクトレイＴに保持されているディスク１００を、ドライブ側に装備されたターンテーブル（不図示）にチャッキングさせるというディスクチャッキング動作や、ディスクトレイＴが完全な引込み位置から押し出される前にターンテーブルから解放するディスクアンチャッキング動作や、ディスクアンチャッキング後に、ディスクトレイＴを少し押出し方向に動かしてラック４をトレイ駆動歯車６に噛み合わせる動作（押出し補助動作）、などを行わせるために設けられている。この点を、図１０及び図７〜図９を参照して説明する。
【００３２】
すなわち、ドライブ側には、上記ガイド溝５に常時嵌合している突起７１を備えた横行部材７が取り付けられており、その横行部材７に、上記中間歯車６１に噛合可能なラック部７２や図示していないカム溝などが設けられていて、そのカム溝にチャッキング機構（不図示）を動作させるための係合子が摺動自在に係合している。そして、ディスクトレイＴが引き出されているときには、突起７１がガイド溝５の図１０に破線で示した付近に位置していて、ディスクトレイＴが図１０の矢印ａのように引き込まれるのに伴って突起７１がガイド溝５内を相対移動して同図に破線で示したようにガイド溝５の傾斜部５１に到達する。その後に少しディスクトレイＴが引き込まれると、突起７１が傾斜部５１に嵌まり、その傾斜部５１によって少しだけ横移動される。これと共に横行部材７が少しだけ横移動し、その横行部材７のラック部７２の端部が図７のように中間歯車６１に噛み合う。この時点で、それまでトレイ駆動歯車６に噛み合っていたトレイ本体１側のラック４が同図のようにトレイ駆動歯車６から離れる。この後の中間歯車６１の回転によりラック７２を介して横行部材７が横移動すると、突起７１が同図に実線で示した傾斜部５１の端部に達するまではディスクトレイＴの引込みが継続され、突起７１が傾斜部５１を出ることによってディスクトレイＴが完全に引き込まれ、さらに、突起７１が横行部材７を伴ってガイド溝５の端部５２に達したことが検出されて中間歯車６１を回転させているモータの回転が停止する。また、横行部材７が横移動を行っている間に、そのカム溝を摺動する上記係合子が上記チャッキング機構を動作させてディスクをターンテーブルに対してチャッキングする。ディスクチャッキング動作である。ディスクアンチャッキング動作は、モータにより中間歯車６１が逆回転されて横行部材７が逆向き横移動を行うことによって行われる。そして、横行部材７が逆向き横移動を行う最終段階では、突起７１がガイド溝５の傾斜部５１を上記とは逆向きに相対移動するので、その間に突起７１が傾斜部５１を押してディスクトレイＴを少し押し出す。これによって、トレイ本体１のラック４の端部がトレイ駆動歯車６に噛み合い、その後はトレイ駆動歯車６の回転によってディスクトレイＴが引き出される。
【００３３】
第２実施形態では、トレイ本体１に、図２や図４に示したものと同様の可動連結部材３や歯車２３，２４，２５が備わっている。また、この第２実施形態では、図６に示したように、上記可動連結部材３の第１杆体３１にラック８が取り付けられている。そして、図７のように、このラック８が、上記した横行部材７のラック部７２の端部が同図のように中間歯車６１に噛み合うのにタイミングを合わせてトレイ駆動歯車６に噛み合うようになっている。このため、横行部材７の横移動を通じて上記したディスクチャッキング動作が行われている間に、それと併行するトレイ駆動歯車６の回転によってラック８が図８の矢印ｂのように後方移動し、しかも、そのラック８が第１杆体３１を矢印ｄのように後方移動させる。したがって、第１実施形態で説明したところから判るように、それまでは図１に示した閉位置に位置していた３つのディスクホルダー２…が同調して図３の開位置まで揺動して後退する。このため、ディスクチャッキング動作が完了した時点では、ディスク１００（図１など参照）がディスクホルダー２…に保持されていない解放状態になり、その後のディスクの回転でディスクホルダー２…がディスクに接触してディスクを傷付けたりするといった不都合が生じなくなる。
【００３４】
また、ディスクトレイＴが完全に引き込まれている状態で、ディスクアンチャッキング動作が行われると、その動作が行われている間に、中間歯車６１の逆転によってトレイ駆動歯車６も逆転し、そのようなトレイ駆動歯車６の逆転によってラック８が図８の反矢印ｂのように前方移動し、そのラック８が第１杆体３１を反矢印ｄのように前方移動させる。したがって、第１実施形態で説明したところから判るように、それまでは図３に示した開位置に位置していた３つのディスクホルダー２…が同調して図１の閉位置まで揺動して突出する。このため、ディスクアンチャッキング動作が完了した時点では、ディスク１００（図１など参照）がディスクホルダー２…によって保持された状態になり、その後にディスクトレイＴが引き出されてもディスク１００がディスクセット部１２から脱落するという事態が起こり得ない。
【００３５】
なお、ディスクトレイＴが引き出されているときにはトレイ駆動歯車６とラック８との噛合いは解除されている。そのため、ドライブから引き出されたディスクトレイＴに対してディスクを出入れするときには、第１実施形態で説明したように、任意の１つのディスクホルダー２を手指で揺動操作することによりすべてのディスクホルダー２…を開位置に後退させ、その後に、ディスクを出入れすればよい。
【００３６】
上記した第２実施形態では、トレイ駆動歯車６とラック８とが直接に噛み合う構造を採用しているけれども、この点は、トレイ駆動歯車とラックとの中間に別の歯車を介在させておいてもよい。要するに、ラックがトレイ駆動歯車に連動するようになっていればよい。
【００３７】
ところで、図１〜図５を参照して説明した第１実施形態では、任意の１つのディスクホルダー２を手指で揺動操作することによって、すべてのディスクホルダー２…を閉位置や開位置に定めることができるので、ドライブを縦置き姿勢で使用する場合には、ディスクトレイＴへのディスクの着脱時に任意のディスクホルダー２を手指で揺動操作してすべてのディスクホルダー２…を閉位置から開位置まで後退させればよい。また、ドライブを横置き姿勢に使用する場合には、ディスクホルダー２…を開位置に後退させたままにしておけばよい。
【００３８】
これに対し、図６〜図９で説明した第２実施形態では、ディスクチャッキング動作に併行してディスクホルダー２…が閉位置から開位置まで自動で後退し、やディスクアンチャッキング動作に併行してディスクホルダー２…が開位置から閉位置まで自動で突出するようになっている。そして、ディスクトレイＴがドライブに対して引き込まれたり押し出されたりするときには、ディスクホルダー２…が閉位置に突出していることが前提になっている。このような使用状態は、ドライブを縦置き姿勢で使用するときには、ディスクトレイＴの出入れ時のディスクの脱落を防ぐ上で好ましい。しかしながら、ディスクホルダー２…によってディスクを保持させておく必要のないドライブの姿勢、すなわちドライブを横置き姿勢で使用するときには、ディスクトレイＴがドライブに対して引き込まれたり押し出されたりするときにディスクホルダー２…が閉位置に突出していることは、ディスクホルダー２がディスクの出入れのじゃまになるので好ましくない。そのため、第２実施形態のディスクトレイでは、ドライブが横置き姿勢で用いられことがあることを考慮して、ディスクホルダー３を常時開位置に保持し得る手段を有していることが望ましい。
【００３９】
このような手段を次に説明する。すなわち、図７〜図９のように、ラック８に操作摘み８１が付設されており、その操作摘み８１が、トレイ本体１の前端部に形成した孔部１３から前方へ突出されている。そして、操作摘み８１を孔部１３内で左右に横移動させることによって、ラック８をトレイ駆動歯車６に噛合可能な動作位置（図７及び図８の位置）と、ラック８がトレイ駆動歯車に噛合不可能な退避位置（図９の位置）との間で移動可能にしてある。なお、操作摘み８１のを横移動させたときに、ラック８を操作摘み８１に追従して円滑に横移動させるためのガイド面を設けておくことが望ましいけれども、図７〜図９ではそのような作用を行うガイド面を図示省略してある。
【００４０】
この構成であれば、たとえばディスクトレイＴが引き出されているときに、図９のように、操作摘み８１を横移動させてラック８をトレイ駆動歯車に噛合不可能な退避位置に位置させておけば、ディスクトレイＴが引き込まれた後、ディスクチャッキング動作やディスクアンチャッキング動作が行われている間も、ラック８がトレイ駆動歯車６に噛み合うことがないので、ディスクホルダーを開位置に後退させたままにしておくことが可能である。
【００４１】
以上において、図１〜図１０では説明の重複を避けるため同一又は相応する部分に同一符号を付してある。
【００４２】
【発明の効果】
以上のように本発明によれば、ディスクの着脱時に１つのディスクホルダーを操作するだけで複数箇所のディスクホルダーを同時に同じように動作させて、ディスクをディスクセット部に脱落しないようにセットしたり、ディスクセット部からディスクを安全に取り出したりすることができるようになる。そのため、従来のように一つ一つのディスクホルダーを個別に操作するという面倒な操作が不要になり、それだけ使い勝手が向上する。しかも、片手だけを使ってディスクをディスクセット部にセットしたりディスクセット部から取り外したりすることができるという利便もある。
【００４３】
また、ディスクチャッキング動作やディスクアンチャッキング動作を行わせるときに、それらの動作とディスクホルダーの開閉動作とを自動で併行させることができるようになるので、特に、ドライブを縦置き姿勢で使用する場合には、ディスクトレイの出入れ時にディスクの脱落を防ぎ、ディスクの記録再生時にディスクホルダーをディスクから解放してディスクの保護を図ることができるという卓越した効果が奏される。
【００４４】
なお、ディスクをディスクホルダーで保持させておく必要のない横置き姿勢でドライブを用いる場合には、ディスクホルダーをディスク出入れのじゃまにならない位置まで退避させておくことのできるので、本発明に係るディスクトレイを装備させたドライブは縦置き姿勢にも横置き姿勢にも適合する。
【図面の簡単な説明】
【図１】本発明に係るディスクトレイの第１実施形態の正面図である。
【図２】同背面図である。
【図３】他の状態での同正面図である。
【図４】他の状態での同背面図である。
【図５】要部の拡大背面図である。
【図６】第２実施形態の背面図である。
【図７】動作説明図である。
【図８】動作説明図である。
【図９】動作説明図である。
【図１０】ガイド溝の形状を示した説明図である。
【符号の説明】
Ｔ  ディスクトレイ
１  トレイ本体
２，２ａ  ディスクホルダー
３  可動連結部材
６  トレイ駆動歯車
８  ラック
１２  ディスクセット部
２１  回転軸
２３，２４，２５  歯車（揺動部材）
３１，３２  杆体
３３，３４，３５，３６  ラック部
１００  ディスク
【図１】
0003608493.tif 000002
【図２】
0003608493.tif 000003
【図３】
0003608493.tif 000004
【図４】
0003608493.tif 000005
【図５】
0003608493.tif 000006
【図６】
0003608493.tif 000007
【図７】
0003608493.tif 000008
【図８】
0003608493.tif 000009
【図９】
0003608493.tif 000010
【図１０】
0003608493.tif 000011